(57)【特許請求の範囲】
【請求項１】
略楕円状とした衿用布材を短径の略１／３の位置で長径に沿い折返して狭幅側を内衿部、広幅側を外衿部とし、前記外衿部の外縁部には適宜数のタックを設けることで前記内衿部の外縁部と長さを一致させて縫製することで袋状の衿部とし、該衿部をショール本体の上縁の略中央部に前記内衿部を内側として前記外縁部側で取付けたことを特徴とする和装用ショール。
【発明の詳細な説明】
【０００１】
【発明の属する技術分野】
本発明は、ショールに関するものであり、詳細には、和服を着用したときに用いることで、特に高い防寒効果を得られるものとするショールの構成に係るものである。
【０００２】
【従来の技術】
従来のこの種の和装用のショールの例としては、例えば、実開昭６３―１６７１１６号に示されるものがあり、この考案のショールにおいては上縁の中央部分をくびれ縁として形成することで、和装に用いるときにも和服の後衿首の形態を優美に保てるものとしている。尚、上記のショール以外にも、例えば、単なる長方形状のもの、或いは、ケープ状に縫製したものなどが広く使用されている。
【０００３】
【発明が解決しようとする課題】
しかしながら、これら従来のショールにおいては、衿が身体に密着している状態で着付けが行われる洋装に適応するものばかりであって、衿、特に後衿を抜いた状態で着付けを行う和装に適応するように開発されたものは皆無に近いのが現状である。
【０００４】
従って、従来のショールを、それが必要とされる寒冷時に和装で着用した場合には、着物の外表面に沿う着用が行われるものとなるので、上記した後衿の部分では身体と着物とに生じている隙間を塞ぐものとは成らず、これにより、期待するほどに防寒効果が得られない問題点を生じ、この点の解決が課題とされるものと成っていた。
【０００５】
【課題を解決するための手段】
本発明は、前記した従来のショールに生じている課題を解決するための具体的な手段として、略楕円状とした衿用布材を短径の略１／３の位置で長径に沿い折返して狭幅側を内衿部、広幅側を外衿部とし、前記外衿部の外縁部には適宜数のタックを設けることで前記内衿部の外縁部と長さを一致させて縫製することで袋状の衿部とし、該衿部をショール本体の上縁の略中央部に前記内衿部を内側として前記外縁部側で取付けたことを特徴とする和装用ショールを提供することで、和装特有の着付けに対応するものとして防寒効果を高め課題を解決するものである。
【０００６】
【発明の実施の形態】
つぎに、本発明を図に示す実施形態に基づいて詳細に説明する。図１は、本発明に係る和装用ショール１０を裁断時の状態で示すものであり、図中に符号１で示すものは衿用布材、符号２で示すものは後身頃用布材、符号３で示すものは左右を対称とした前身頃用布材である。
【０００７】
このときに、前記後身頃用布材２と、前身頃用布材３とは、それぞれを縫い合わせて一体化することでショール本体５（図２を参照）が得られるものとなるが、このショール本体５としては、従来例のショールとほぼ同様な構成のものである。尚、後身頃用布材２、前身頃用布材３は、それぞれが基本形状を示すものであり、実際の実施に当たっては使用する布地の織幅などにより適宜のはぎ合わせが行われる。
【０００８】
ここで、本発明では、上記のショール本体５に対して、前記衿用布材１で形成される衿部４（図２参照）を設けることを特徴とするものであり、以下に前記衿部４の構成について更に詳細に説明を行う。先ず、第一の手順として、前記衿部４の形成に当たり前記衿用布材１は略楕円状として裁断が行われる。
【０００９】
続いて、前記衿用布材１は略楕円状とした短径側の略１／３の位置で長径に平行して折返され、この折返しにより生じる二つの略半月状の形状の内の幅の狭い方、即ち、短径の１／３の側を内衿部１ａとし、幅の広い方、即ち、短径の２／３の側を外衿部１ｃとする。従って、外衿部１ｃの外縁部１ｄは当然に内衿部１ａの外縁部１ｂよりも長いものとなる。
【００１０】
そして、本発明では、前記外衿部１ｃの外縁部１ｄにタックなどを設けるなど適宜の寸法調整を行い内衿部１ａの外縁部１ｂと長さを一致させた状態として、両外縁部１ｂ、１ｄの縫製を行い衿部４として形成する。よって、衿部４は中空の袋状として形成されるものとなる。
【００１１】
上記のようにして形成された衿部４は、内衿部１ａの側を内側とし、外縁部１ｂおよび外縁部１ｄの側で前記ショール本体５の上縁の所定の位置に縫製により取付けられ、図２に示すように本発明の和装用ショール１０は完成するものとなる。尚、上記の説明は理解を容易とするために、外縁部同士を縫製し衿部４として形成された後にショール本体５に取付けるものとしているが、実際の実施に当たってはショール本体５に取付ける際に外縁部同士を縫製して衿部４を同時に形成しても良いものであることは言うまでもない。
【００１２】
次いで、上記の構成とした本発明の和装用ショール１０の作用および効果について説明を行う。図３は和装用ショール１０を拡げた状態で示すものであり、前記衿部４が外縁部１ｂおよび同じ長さとした外縁部１ｄ側でショール本体５に取付けられていることで、衿部４の差し渡し寸法Ｄは、外縁部１ｂの寸法、即ち、この衿部４がショール本体５に取付けられている部分である取付寸法Ｅよりも短いものとなる。
【００１３】
図４は、同じ和装用ショール１０を、例えば衣紋掛けに掛けるなど、着付けを行ったときに近い形状として保持している状態で示したものであり、上記でも説明したように差し渡し寸法Ｄが取付寸法Ｅよりも短いことで、図示のように衿部４はショール本体５の上縁よりも内径が小さいものであるので、着付けを行う状態としたときには内側に入り込むものと成っている。
【００１４】
即ち、前記取付寸法Ｅはショール本体５における首回り寸法に相当し、前記差し渡し寸法Ｄは衿部４における首回り寸法に相当するので、衿部４はショール本体５よりも小さい首回り寸法を有することとなる。  尚、このときに、幅の広い外衿部１ｃの側に余裕があるので、外衿部１ｃが適宜に内衿部１ａ側に繰出されるものとなり、引きつりなどを生じることはない。
【００１５】
従って、この和装用ショール１０を実際に着付けを行う場合には、図５に示すように従来のショールと同様にショール本体５の部分を着物の外表面に沿わせて巻付ければ、着物に衿抜きが行われた状態となっていても、このショール本体５よりも内径が小さくなり内側に入り込む衿部４は自ずと首に達して接する閉塞部Ｆを形成するものとなる。
【００１６】
よって、衿部４は閉塞部Ｆにより着物と首との間に生じている隙間を塞ぎ防寒効果を高めるものとなる。このときに、着物と首との間に生じている隙間の寸法に個人差などによる多少の差異を生じる場合にも、上記にも説明したように幅の広い外衿部１ｃの側の余裕により調整が行われる。
【００１７】
また、上記の閉塞部Ｆの調整が行われた後であっても、前記外衿部１ｃは更に充分な余裕分を残すものであるので、この余裕分は折畳まれて前記ショール本体５の外側に衿形状部Ｇを形成するものと成る。このときに、上記にも説明したように衿部４は袋状であるので、閉塞部Ｆと衿形状部Ｇとの振分は自在な位置で行われ、これにより、衿形状部Ｇに引つり、皺などを生じることはなく美観にも優れるものとなる。
【００１８】
また、実際の実施に当たっては、ショール本体５の形状などにより前記衿用布材１の短径、長径、折り返しの位置、および、外縁の形状などに対する最適値が異なるものとなるので、それぞれの場合において、上記の寸法、形状の調整を行い期待する効果が得られるようにすることが望ましい。
【００１９】
【発明の効果】
以上に説明したように本発明により、略楕円状とした衿用布材を短径の略１／３の位置で長径に沿い折返して狭幅側を内衿部、広幅側を外衿部とし、前記外衿部の外縁部には適宜数のタックを設けることで前記内衿部の外縁部と長さを一致させて縫製することで袋状の衿部とし、該衿部をショール本体の上縁の略中央部に前記内衿部を内側として前記外縁部側で取付けた和装用ショールとしたことで、ショール本体の首回り寸法よりも衿部の首回り寸法を短いものとして形成することで、着付けを行うときには自動的に首と和服の後衿部とに生じている隙間を衿部の閉塞部で塞ぐものとし、和服着用時のこの部分に生じていた防寒性能の不足を解決する極めて優れた効果を奏するものである。
【００２０】
併せて、衿部を外衿部が内衿部よりも広幅とした衿用布材により袋状として形成したことで、例えば個人差あるいは着付けの差などにより生じる首と和服の後衿部との隙間の相違を外衿部側に設けた余裕で吸収すると共に、その余裕の剰余の部分で皺などを生じることなく衿形状部を形成するものとして、美観に優れるものとする効果も奏するものである。
【図面の簡単な説明】
【図１】  本発明に係る和装用ショールの実施形態を裁断時の状態で示す平面図である。
【図２】  同じく本発明に係る和装用ショールを縫製後の状態で示す斜視図である。
【図３】  同じく本発明に係る和装用ショールの衿部を展開状態で示す説明図である。
【図４】  同じく本発明に係る和装用ショールの衿部を保持状態で示す説明図である。
【図５】  同じく本発明に係る和装用ショールの着付け状態を示す説明図である。
【符号の説明】
１……衿用布材
１ａ……内衿部
１ｂ……内衿部の外縁部
１ｃ……外衿部
１ｄ……外衿部の外縁部
２……後身頃用布材
３……前身頃用布材
４……衿部
５……ショール本体
１０……和装用ショール
Ｄ……取付寸法
Ｅ……差し渡し寸法
Ｆ……閉塞部
Ｇ……衿形状部
【図１】
0003700268.tif 000002
【図２】
0003700268.tif 000003
【図３】
0003700268.tif 000004
【図４】
0003700268.tif 000005
【図５】
0003700268.tif 000006